(57)【要約】  【課題】  飛散しやすい固体の微粉可燃物の飛散防止を図り得ながら有効にかつ安全に消火できる蓄圧式泡消火器を提供する。  【解決手段】  泡水溶液とこの泡水溶液を噴出させるための加圧用ガスが充填された本体容器と、この本体容器の上部に取付けた容器弁を開弁操作する起動レバーと、前記容器弁に基端部が接続されたホース８を備え、ホース８の先端にノズル本体１０、このノズル本体の先端に取付けたノズル１１、ノズル本体１０内とノズル１１内との連通状態を開閉するノズル弁１２、及び該ノズル弁を開弁操作するノズルレバー１３などを備えている蓄圧式泡消火器において、ノズル１１の先端に、基端側に空気吸込口３７を、先端に泡放出口３８をそれぞれ有する発泡器２８の基端を接続し、発泡器２８の内部に発泡ネット３９を取付ける。【選択図】      図４
2006034748.tif 000002
【特許請求の範囲】
【請求項１】
泡水溶液とこの泡水溶液を噴出させるための加圧用ガスが充填された本体容器と、前記本体容器の上部に取付けた容器弁と、前記容器弁を開弁操作する起動レバーと、前記容器弁に基端部が接続されたホースと、前記本体容器内に収納され、前記容器弁の開弁に伴い前記泡水溶液をホースへ導出するサイホン管とを備え、前記ホースの先端にはノズル本体、このノズル本体の先端に取付けたノズル、前記ノズル本体内と前記ノズル内との連通状態を開閉するノズル弁、及び該ノズル弁を開弁操作するノズルレバーを備えている蓄圧式泡消火器において、
前記ノズルの先端に、基端側に空気吸込口を、先端に泡放出口をそれぞれ有する発泡器の基端部を接続し、該発泡器内の前記空気吸込口より下流側に発泡ネットを取付けてあることを特徴とする、蓄圧式泡消火器。
【請求項２】
前記発泡ネットを通過後の発泡倍率は１４〜２０倍に設定してある、請求項１記載の蓄圧式泡消火器。
【請求項３】
前記泡放出口からの泡の放射距離は２ｍ〜７ｍに設定している、請求項１又は２記載の蓄圧式泡消火器。
【請求項４】
前記発泡ネットが前記発泡器に対し着脱可能に取付けられている、請求項１ないし３のいずれか１項に記載の蓄圧式泡消火器。
【発明の詳細な説明】
【技術分野】
【０００１】
本発明は、複写機等に用いる固体の微粉可燃物の製造工場などにおける火災を有効に消火することのできる蓄圧式泡消火器に関する。
【背景技術】
【０００２】
複写機等に用いる固体の微粉可燃物は製造ラインで引火して火災を起こすことがあり、このため工場内に移動式の消火器が常備されるが、この消火器としては粉末消火器が主流を占めている。
【発明の開示】
【発明が解決しようとする課題】
【０００３】
しかしながら、粉末消火器では粉末消火剤が燃焼する微粉可燃物に向けて棒状に勢いよく放出され、このため微粉可燃物が周囲に飛散し、この飛散した微粉可燃物の事後処理の作業が非常に厄介であった。また、飛び火が生じて再着火する恐れもあった。また、粉末消火器に代えて、機械泡（空気泡ともいう）消火器を使用するにしても、これは、ホース先端のノズルからの泡放射時に、ノズルに設けた空気吸込口から空気を取り込んで発泡するだけであるため、この発泡倍率（泡水溶液と発生した泡の容積比）が低過ぎ、このため泡の放射力が強過ぎ、燃焼する微粉可燃物に吹き付けた場合、やはり微粉可燃物が飛散してしまうという問題が生じる。
【０００４】
本発明は、上記問題を解決するためになされたもので、その目的とするところは、蓄圧式泡消火器において、飛散しやすい固体の微粉可燃物の飛散防止を図り得ながら有効にかつ安全に消火できる蓄圧式泡消火器を提供することにある。
【課題を解決するための手段】
【０００５】
上記目的を達成するために、本発明は、泡水溶液とこの泡水溶液を噴出させるための加圧用ガスが充填された本体容器と、前記本体容器の上部に取付けた容器弁と、前記容器弁を開弁操作する起動レバーと、前記容器弁に基端部が接続されたホースと、前記本体容器内に収納され、前記容器弁の開弁に伴い前記泡水溶液をホースへ導出するサイホン管とを備え、前記ホースの先端にはノズル本体、このノズル本体の先端に取付けたノズル、前記ノズル本体内と前記ノズル内との連通状態を開閉するノズル弁、及び該ノズル弁を開弁操作するノズルレバーを備えている蓄圧式泡消火器において、前記ノズルの先端に、基端側に空気吸込口を、先端に泡放出口をそれぞれ有する発泡器の基端部を接続し、該発泡器内の前記空気吸込口より下流側に、発泡ネットを取付けてあることに特徴を有するものである。
【０００６】
一つの好適な態様として、本発明の蓄圧式泡消火器によれば、前記発泡ネットを通過後の発泡倍率は１４〜２０倍に設定することができる。また、前記泡放出口からの泡の放射距離は２ｍ〜７ｍに設定することができる。前記発泡ネットは前記発泡器に対し着脱可能に取付けることができる。
【発明の効果】
【０００７】
ノズルより泡水溶液を放射したときに、空気を空気吸込口より取り込んで発泡するが、このときの発泡倍率はせいぜい６〜１０倍であって、この発泡倍率のまま燃焼する微粉可燃物に放射しても該微粉可燃物の飛散が起こるため、更に発泡ネットを通過させて空気を取り入れることにより発泡倍率を１４〜２０倍程度にまで上げ、この比較的高い発泡倍率の泡を泡放出口から放射することができる。したがって、泡放出口から放射する比較的高い発泡倍率の泡は放射の強さを弱くし、速さを落とすが所定の放射距離を確保し得ながら放射することになり、放射位置から少なくとも２ｍ程度離れた場所にある燃焼微粉可燃物上にふんわりと舞い降りて該微粉可燃物の表面を覆うことにより、該微粉可燃物をほとんど飛散させることなく消火することができる。このため、飛散物の燃焼による２次災害を無くし、また消火後における事後処理も容易になった。
【０００８】
発泡ネットを通過後の発泡倍率が１４倍未満では泡放射力が強過ぎて微粉可燃物の飛散を招き、２０倍を超えると泡放射力が弱過ぎて放射距離を十分に確保できず、微粉可燃物から２ｍ近くにまで近づいて放射しても満足な消火が行えない。したがって、発泡ネットを通過後の発泡倍率は１４〜２０倍、より好ましくは２０倍である。
泡の放射距離が２ｍ未満では、消火器使用者が燃焼する微粉可燃物に近寄り過ぎることになって身の危険性があり、放射距離が７ｍを超える泡ではこれが微粉可燃物の存在場所に７ｍ未満に近づいた位置から放射したときに放射泡は強過ぎて微粉可燃物を飛散させる。したがって、固体の微粉可燃物を安全にかつ飛散させることなく有効に消火させるには泡の放射距離は２〜７ｍ、より好ましくは５ｍ前後である。
【発明を実施するための最良の形態】
【０００９】
以下、本発明を実施するための最良の形態を図面に基づき説明する。
図１は本発明の一実施例を示す蓄圧式泡消火器の側面図、図２は同蓄圧式泡消火器の背面図、図３は図２におけるＡ部の拡大断面図、図４は同蓄圧式泡消火器のホース先端のノズル部分を示す拡大断面図である。
【００１０】
本発明に係る蓄圧式泡消火器は、図１〜図３に示すように、泡水溶液（泡消火剤と水を混合したもの）とこの泡水溶液を噴出させるための窒素等加圧用ガスが充填された本体容器１、この本体容器１の上部に取付けた容器弁２、容器弁２の上部に固定された起動レバー支持部材３に起立・傾倒可能に軸支されその軸４回りの傾倒操作により容器弁２を開弁操作する起動レバー５、起動レバー支持部材３に抜き差し可能に差し込まれて起動レバー５の不慮の傾倒を防止する安全栓６、容器弁２に基端部が接続されたホース８、および本体容器１内に収納され、容器弁２の開弁に伴い泡水溶液をホース８へ導出するサイホン管９等から構成されている。ホース８の先端にはノズル本体１０、このノズル本体１０の先端に取付けたノズル１１、ノズル本体１０内とノズル１１内との連通状態を開閉するノズル弁１２、及びノズル弁１２を開弁操作するノズルレバー１３を備える。
【００１１】
図４に示すように、ノズル１１は外周に鍔部１４、及び鍔部１４の前後に雄ねじ１５，１６をそれぞれ有しており、後側の雄ねじ１６をノズル本体１０内の管路１７の先端部の雌ねじ１８に螺合する。管路１７内のノズル１１の後方には、前から後ろに向かって順にパッキン１９、弁座２０、弁座２０に密着するノズル弁体２１を先端に取付けたスピンドル２２、スピンドル受け２３を組込み、スピンドル受け２３の後方へ突出するスピンドル２２の後端部にノズルレバー１３の先端部１３ａを係合している。平常時にはノズルレバー１３とノズル本体１０間に介在したスプリング２４によりノズルレバー１３が開き付勢されているとともに、ノズルレバー１３によりスピンドル２２が前方へ押されてノズル弁体２１を弁座２０に密着させることによりノズル本体１０の管路１７内を流れる泡水溶液がノズル１１内に流れるのを遮断している。いま、ノズルレバー１３を枢軸２５回りに閉じ操作すると、スピンドル２２が後方へ引っ張られてノズル弁体２１が弁座２０から離され、ノズル本体１０内の泡水溶液がノズル１１内へ流れ込む。なお、図１、図２中、２７は本体容器１の背面側の下端寄り部位に取付けられた、運搬のための車輪である。
【００１２】
本発明は、上記蓄圧式消火器において、ホース８先端のノズル部分を以下のように構成したことに特徴を有する。
すなわち、図４に示すように、ノズル１１の先端に発泡器２８を取付ける。発泡器２８は全体的に有底筒状に形成され、有底筒基部２９、先窄まり状の先端筒部３０、及び有底筒基部２９と先端筒部３０を連結する中間筒部３１の分割構造からなり、有底筒基部２９の前端の雌ねじ３２と中間筒部３１の後端の雄ねじ３３とを螺合して接合し、中間筒部３１の前端の雌ねじ３４と先端筒部３０の後端の雄ねじ３５とを螺合して接合している。有底筒基部２９の中央にはねじ穴３６を設け、このねじ穴３６をノズル１１の前側の雄ねじ１５に締付けて接続固定している。発泡器２８の有底筒基部２９のねじ穴３６の周辺には１個または複数個の空気吸込口３７を設けている。発泡器２８の先端筒部３０は泡放出口３８を有し、この泡放出口３８は中間筒部３１の内径よりも細く絞っている。
【００１３】
ここで注目すべき点は、発泡器２８内の空気吸込口３７より下流側（泡放出口３８側）である所定箇所、図示例では有底筒基部２９と中間筒部３１とのねじ接合部に、漏斗形状等に形成された発泡ネット３９を取付けて、ノズル１１より泡水溶液を放射したときに、空気を空気吸込口３７より取り込んで発泡する発泡倍率（泡水溶液と発生した泡の容積比）よりも更に発泡倍率を高めるようにしてある点である。
ノズル１１より泡水溶液を放射したときに空気を空気吸込口３７より取り込んで発泡するだけでは発泡倍率がせいぜい６〜１０倍であり、この発泡倍率のまま放射しても固体の微粉可燃物の飛散問題を解消できないため、更に発泡ネット３９を通過させて空気を取り入れることにより発泡倍率を１４〜２０倍、好ましくは２０倍程度にまで上げ、この比較的高い発泡倍率の泡を泡放出口３８から少なくとも２ｍ以上の放射距離で放射できるようにしたものである。
【００１４】
泡放出口３８からの泡の放射距離は２ｍ〜７ｍ、好ましくは５ｍ前後とする。これは、２ｍ未満では消火時に消火器使用者が燃焼する微粉可燃物に近寄り過ぎることになって身の危険性があり、放射距離が７ｍを超える泡では、微粉可燃物の存在場所に７ｍ未満に近づいた放射位置から放射したときに放射泡が強過ぎて微粉可燃物を広く飛散させてしまうからである。
【００１５】
上記構成の蓄圧式泡消火器において、起動レバー５を倒して容器弁２を開放し、手元のノズルレバー１３を閉じ操作してノズル弁１２を開放することにより、ノズル１１より泡水溶液を放射したときに、空気を空気吸込口３７より取り込んで発泡し、更に発泡ネット３９を通過させて発泡倍率を高めて泡の勢いを弱め泡放出口３８より放射する。すると、放射位置から少なくとも２ｍ程度離れた場所で燃焼する微粉可燃物の上にふわっと舞い降りて該微粉可燃物の表面を覆って消火するため、微粉可燃物を飛散させることが殆ど無く、消火できるに至った。
【００１６】
発泡ネット３９は有底筒基部２９と中間筒部３１の雌雄ねじ３２，３３による接合を解いて分離することにより取外すことができ、破損等により交換を簡単に行える。なお、発泡ネット３９は、必要に応じて、泡の流れ方向に複数個、所定間隔置きに並べて取付けることもできる。
【図面の簡単な説明】
【００１７】
【図１】本発明の一実施例を示す蓄圧式泡消火器の側面図である。
【図２】同蓄圧式泡消火器の背面図である。
【図３】図２におけるＡ部の拡大断面図である。
【図４】同蓄圧式泡消火器のホース先端のノズル部分を示す拡大断面図である。
【符号の説明】
【００１８】
１  本体容器
２  容器弁
５  起動レバー
８  ホース
９  サイホン管
１０  ノズル本体
１１  ノズル
１２  ノズル弁
１３  ノズルレバー
２８  発泡器
３７  空気吸込口
３８  泡放出口
３９  発泡ネット
【図１】
2006034748.tif 000003
【図２】
2006034748.tif 000004
【図３】
2006034748.tif 000005
【図４】
2006034748.tif 000006